(57)【要約】  無線通信ネットワーク内に含まれるセル内の第１のノード内の伝送リソースをスケジュールするための方法及び配置。第１のノードは、通信チャネルによりセル内の少なくとも１つのユーザ機器と通信するように配置される。この通信は、アップリンク・リソース及びダウンリンク・リソースを、当該ダウンリンク・リソース及びアップリンク・リソース間の切り替え点とともに、含むフレームを使用することによって行われる。この方法は、通信の予想伝送品質及び／又は通信チャネルの予想コヒーレンス・プロパティを参照するパラメータを入手するステップを含む。また、この方法は、アップリンク・リソース又はダウンリンク・リソース上の伝送をスケジュールするステップも含む。このリソースは切り替え点から任意の時間距離に位置する。この時間距離は入手したパラメータに基づくものである。
2010524388.tif 000002
【特許請求の範囲】
【請求項１】
無線通信ネットワーク（１００）内に含まれるセル（１５０）内の第１のノード（１２０）内の伝送リソース（３２０、３４０）をスケジュールするための方法であって、アップリンク・リソース（３４０）及びダウンリンク・リソース（３２０）を、当該ダウンリンク・リソース（３２０）当該アップリンク・リソース（３４０）との切り替え点（３３０）とともに、含むフレーム（３１０）を使用することにより、前記第１のノード（１２０）が通信チャネル（１４０）により前記セル（１５０）内の少なくとも１つのユーザ機器（１１０、１１２、１１４）と通信するように配置され、前記方法が、
前記通信の予想伝送品質及び／又は前記通信チャネル（１４０）の予想コヒーレンス・プロパティを参照するパラメータを入手するステップ（４１０）と、
前記切り替え点（３３０）から任意の時間距離に位置するアップリンク・リソース又はダウンリンク・リソース（３２０、３４０）上の伝送をスケジュールするステップ（４５０）であって、この時間距離は前記入手したパラメータに基づくものであるステップ（４５０）と、
を含む、方法。
【請求項２】
前記通信の前記予想伝送品質及び／又は前記通信チャネル（１４０）の前記予想コヒーレンス・プロパティを参照するパラメータを入手する前記ステップ（４１０）が、前記第１のノード（１２０）と前記少なくとも１つのユーザ機器（１１０、１１２、１１４）との間の前記通信の前記予想伝送品質及び／又は前記通信チャネル（１４０）の前記予想コヒーレンス・プロパティを推定することを含む、請求項１記載の方法。
【請求項３】
前記第１のノード（１２０）と前記少なくとも１つのユーザ機器（１１０、１１２、１１４）との間の前記通信の前記伝送品質及び／又は前記通信チャネル（１４０）の前記コヒーレンス・プロパティを、前記第１のノード（１２０）と前記ユーザ機器（１１０、１１２、１１４）の他のインスタンスとの間の他の通信の伝送品質及び／又は他の通信チャネルのコヒーレンス・プロパティと比較するステップ（４３０）と、
前記通信の前記伝送品質及び／又は前記通信チャネル（１４０）のコヒーレンス・プロパティ次第で、前記第１のノード（１２０）によって確立された他の通信と比較して、優先順位の順に前記第１のノード（１２０）と前記少なくとも１つのユーザ機器（１１０、１１２、１１４）との間の前記通信をソートするステップ（４４０）と、
をさらに含む、請求項１から２のいずれかに記載の方法。
【請求項４】
前記第１のノード（１２０）と前記少なくとも１つのユーザ機器（１１０、１１２、１１４）との間の前記通信の前記伝送品質及び／又は前記通信チャネル（１４０）のコヒーレンス・プロパティが、所定のしきい値より低いことを検出するステップ（４２０）
をさらに含む、請求項１から３のいずれかに記載の方法。
【請求項５】
前記第１のノード（１２０）と前記少なくとも１つのユーザ機器（１１０、１１２、１１４）との間の前記通信の前記伝送品質及び／又は前記通信チャネル（１４０）のコヒーレンス・プロパティが、コヒーレンス時間、コヒーレンス帯域幅、又は信号対雑音比などのパラメータもしくは移動速度、ドップラー拡散、遅延拡散、又は伝搬損失、あるいはその組み合わせなどの関連パラメータのいずれかに基づいて推定される、請求項１から４のいずれかに記載の方法。
【請求項６】
前記通信の前記伝送品質及び／又は通信チャネル（１４０）のコヒーレンス・プロパティの前記推定が、前記第１のノード（１２０）と前記少なくとも１つのユーザ機器（１１０、１１２、１１４）との間のアップリンク基準信号、チャネル観測信号、又はランダム・アクセス信号のいずれかに基づいて行われる、請求項１から５のいずれかに記載の方法。
【請求項７】
前記通信の前記予想伝送品質及び／又は前記通信チャネル（１４０）の前記予想コヒーレンス・プロパティを参照するパラメータを入手する前記ステップが、前記第１のノード（１２０）と前記少なくとも１つのユーザ機器（１１０、１１２、１１４）との間の前記通信の伝送品質及び／又は前記通信チャネル（１４０）のコヒーレンス・プロパティの推定を他のノード（１１０、１１２、１１４）から受信することを含む、請求項１から６のいずれかに記載の方法。
【請求項８】
前記少なくとも１つのユーザ機器（１１０、１１２、１１４）に応じてリソースをスケジュールする前記ステップ（４５０）は、前記通信の不良伝送品質及び／又は前記通信チャネル（１４０）の弱いコヒーレンス・プロパティを有する前記少なくとも１つのユーザ機器（１１０、１１２、１１４）が、切り捨てが行われるリソース（３２０、３４０）上でスケジュールされないように実行される、請求項１から７のいずれかに記載の方法。
【請求項９】
前記第１のノード（１２０）が基地局である、請求項１から８のいずれかに記載の方法。
【請求項１０】
前記第１のノード（１２０）が制御ノードである、請求項１から９のいずれかに記載の方法。
【請求項１１】
無線通信ネットワーク（１００）内に含まれるセル（１５０）内の第１のノード（１２０）内の伝送リソース（３２０、３４０）をスケジュールするための配置（５００）であって、アップリンク・リソース（３４０）及びダウンリンク・リソース（３２０）を、当該ダウンリンク・リソース（３２０）とアップリンク・リソース（３４０）との切り替え点（３３０）とともに、含むフレーム（３１０）を使用することにより、前記第１のノード（１２０）が前記セル（１５０）内の少なくとも１つのユーザ機器（１１０、１１２、１１４）と通信するように配置され、前記配置（５００）が、
前記通信の予想伝送品質及び／又は通信チャネル（１４０）の予想コヒーレンス・プロパティを参照するパラメータを入手するように適合された入手ユニット（５２０）と、
前記切り替え点（３３０）から任意の時間距離に位置するリソース（３２０、３４０）上の前記少なくとも１つのユーザ機器（１１０、１１２、１１４）をスケジュールするように適合されたスケジューリング・ユニット（５１０）であって、この時間距離は前記第１のノード（１２０）と前記少なくとも１つのユーザ機器（１１０、１１２、１１４）との間の前記通信の前記予想伝送品質及び／又は前記通信チャネル（１４０）の前記予想コヒーレンス・プロパティを参照するパラメータに基づくものであるスケジューリング・ユニット（５１０）と、
を含む、配置（５００）。
【請求項１２】
前記第１のノードの配置（５００）が、
前記第１のノード（１２０）と前記少なくとも１つのユーザ機器（１１０、１１２、１１４）との間の前記通信の前記伝送品質及び／又は前記通信チャネル（１４０）のコヒーレンス・プロパティを推定するように適合された推定ユニット（５２０）と、
前記第１のノード（１２０）と前記少なくとも１つのユーザ機器（１１０、１１２、１１４）との間の前記通信の前記伝送品質及び／又は前記通信チャネル（１４０）のコヒーレンス・プロパティを、前記第１のノード（１２０）と前記少なくとも１つのユーザ機器（１１０、１１２、１１４）の他のインスタンスとの間の通信の伝送品質及び／又は他の通信チャネルのコヒーレンス・プロパティと比較するように適合された比較ユニット（５４０）と、
前記通信の前記伝送品質及び／又は前記通信チャネル（１４０）のコヒーレンス・プロパティ次第で、前記第１のノード（１２０）によって確立された他の通信と比較して、優先順位の順に前記第１のノード（１２０）と前記少なくとも１つのユーザ機器（１１０、１１２、１１４）との間の前記通信をソートするように適合された編成ユニット（５５０）と、
をさらに含む、請求項１１記載の配置（５００）。
【請求項１３】
前記第１のノードの配置（５００）が、
前記第１のノード（１２０）と前記少なくとも１つのユーザ機器（１１０、１１２、１１４）との間の前記通信の前記伝送品質及び／又は前記通信チャネル（１４０）のコヒーレンス・プロパティが所定のしきい値より低い／弱いかどうかを検出するように適合された検出ユニット（５３０）
をさらに含む、請求項１１から１２のいずれかに記載の配置（５００）。
【請求項１４】
前記第１のノード（１２０）が基地局である、請求項１１から１３のいずれかに記載の配置（５００）。
【請求項１５】
無線通信ネットワーク（１００）内に含まれる制御ノード（１３０）内の伝送リソース（３２０、３４０）をスケジュールするための配置（６００）であって、前記制御ノード（１３０）が第１のノード（１２０）に接続され、アップリンク・リソース（３４０）及びダウンリンク・リソース（３２０）を、当該ダウンリンク・リソース（３２０）及びアップリンク・リソース（３４０）間の切り替え点（３３０）とともに、含むフレーム（３１０）を使用することにより、前記第１のノード（１２０）が前記セル（１５０）内の少なくとも１つのユーザ機器（１１０、１１２、１１４）と通信するように配置され、前記配置（６００）が、
前記第１のノード（１２０）と前記少なくとも１つのユーザ機器（１１０、１１２、１１４）との間の前記通信の予想伝送品質及び／又は通信チャネル（１４０）の予想コヒーレンス・プロパティを参照するパラメータを入手するように適合された入手ユニット（６２０）と、
前記切り替え点（３３０）から任意の時間距離に位置するアップリンク・リソース又はダウンリンク・リソース（３２０、３４０）上の伝送をスケジュールするように適合されたスケジューリング・ユニット（６１０）であって、この時間距離は前記第１のノード（１２０）と前記少なくとも１つのユーザ機器（１１０、１１２、１１４）との間の前記通信の前記予想伝送品質及び／又は前記通信チャネル（１４０）の前記予想コヒーレンス・プロパティを参照するパラメータに基づくものであるスケジューリング・ユニット（６１０）と、
を含む、配置（６００）。
【請求項１６】
前記第１のノードの配置（６００）が、
前記第１のノード（１２０）と前記少なくとも１つのユーザ機器（１１０、１１２、１１４）との間の前記通信の前記伝送品質及び／又は前記通信チャネル（１４０）のコヒーレンス・プロパティを推定するように適合された推定ユニット（６２５）と、
前記第１のノード（１２０）と前記少なくとも１つのユーザ機器（１１０、１１２、１１４）との間の前記通信の前記伝送品質及び／又は前記通信チャネル（１４０）のコヒーレンス・プロパティを、前記第１のノード（１２０）と前記ユーザ機器（１１０、１１２、１１４）の他のインスタンスとの間の通信の伝送品質及び／又は通信チャネルのコヒーレンス・プロパティと比較するように適合された比較ユニット（６４０）と、
前記通信の前記伝送品質及び／又は前記通信チャネル（１４０）のコヒーレンス・プロパティ次第で、前記第１のノード（１２０）によって確立された他の通信と比較して、優先順位の順に前記第１のノード（１２０）と前記少なくとも１つのユーザ機器（１１０、１１２、１１４）との間の前記通信をソートするように適合された編成ユニット（６５０）と、
をさらに含む、請求項１５記載の配置（６００）。
【請求項１７】
前記第１のノードの装置（６００）が、
前記第１のノード（１２０）と前記少なくとも１つのユーザ機器（１１０、１１２、１１４）との間の前記通信の前記伝送品質及び／又は前記通信チャネル（１４０）のコヒーレンス・プロパティが所定のしきい値より低いことを検出するように適合された検出ユニット（６３０）
をさらに含む、請求項１５から１６のいずれかに記載の配置（６００）。
【発明の詳細な説明】
【技術分野】
【０００１】
技術分野
記載されている諸実施形態は、無線通信ネットワークにおける方法及び配置（arrangement）に関する。特に、無線通信ネットワーク内に含まれるセル内のノード内の伝送リソースをスケジュールするための方法及び配置に関する。
【背景技術】
【０００２】
背景
双方向無線通信システムは一般に、周波数分割多重（ＦＤＤ：frequency division duplexing）又は時分割多重（ＴＤＤ：time division duplexing）のいずれかを使用する。周波数分割多重手法は、アップリンク伝送とダウンリンク伝送との干渉を回避するために十分に分離された周波数帯域を使用し、時分割多重手法、いわゆるＴＤＤでは、アップリンク・トラフィックとダウンリンク・トラフィックが同じ周波数帯域又は隣接周波数帯域で伝送されるが、それぞれ異なる時間間隔で伝送される。時分割多重動作モードによる恩恵は、対になっている十分に分離された周波数帯域が必要ではないことである。
【０００３】
長期３Ｇ進化（ＬＴＥ：Long Term 3G Evolution）電気通信技術では、帯域幅の柔軟性及びスペクトル割り振りの柔軟性が重要な特徴の２つである。対になっていない周波数帯域も使用するために、少なくとも１つの時分割多重モードをサポートしなければならないと判断されている。しかし、時間ベースの多重化では、周波数ベースの多重化で発生しない難題も課される。
【０００４】
伝送同士が相互に干渉しないために、隣接領域内の伝送を何らかの点で同期させる必要がある。
【０００５】
さらに、ＴＤＤモード通信においてダウンリンクとアップリンクを切り替える際に、いかなる信号も伝送されないガード期間（guard period）又はアイドル期間（idle period）を取り入れる必要がある。このための理由の１つは、基地局及び移動局（mobile）内の機器がそれぞれの回路の伝送モードと受信モードを切り替えられるようにする必要があることである。
【０００６】
ほとんどの状況でガード期間の持続時間に対する要求が強くなるもう１つの理由は、基地局又は移動局が伝送モードから受信モードに切り替えられたときに、他の基地局又は移動局からの信号が依然として空気中を伝播しており、重大な干渉を引き起こすことである。たとえば、セル・サイズ及び基地局間距離次第で、必要なガード期間の持続時間は異なっている。
【０００７】
一例として、約０．２７ｍｓの伝播遅延に対応して８０ｋｍも離れた高所基地局は、ダウンリンクからアップリンクへの切り替え後にノイズ・フロア（noise floor）の上で干渉をもたらす可能性がある。さらに離れた複数の基地局からのダウンリンク伝送の集約により、干渉レベルは非常に重大なものになる可能性があり、受信に対し否定的な影響を及ぼす可能性がある。
【０００８】
したがって、時分割多重モード通信における干渉を回避するために、アップリンクとダウンリンクとの切り替えの前後にガード期間が取り入れられる。潜在的に、特定の期間中に特定の移動局又は基地局を伴う伝送を可能にしない理由が他にも存在する可能性がある。
【０００９】
ガード期間は、必ずしも必要ではない場合でも、ネットワーク全体において同じにすることができる。ガード期間のいかなる部分も使用するように伝送をスケジュールしてはならない。したがって、ガード期間の外側についてのみ伝送がスケジュールされる。基地局とユーザ機器との間の通信の伝送品質及び／又は通信チャネルのコヒーレンス・プロパティ（coherence properties）は、信号及び無線伝搬条件に対する複数の好ましからざる影響次第で異なる可能性がある。このような好ましからざる影響の非制限的ないくつかの例は熱雑音と干渉である可能性があり、伝播条件に悪影響を及ぼす現象の非制限的な例は、伝搬損失（path loss）、信号マルチパス（signal multi-path）、ドップラー拡散（Doppler spread）である。さらに、チャネル推定の正確さは伝送品質に影響を及ぼすであろう。
【００１０】
ガード期間は、サブフレームの終わりでデータシンボルのいくつかについて伝送を一切行わないことによって作成することができる。サブフレームの始まりで同様の切り捨て（truncation）を行うこともできる。しかし、段階によっては、十分なアイドル期間を作成するために、チャネル推定に使用されるいくつかの参照シンボル又はパイロットも除去することが必要になる。この結果、必然的に、チャネル推定の正確さが低下する。どちらも有用である可能性があるデータシンボル又は参照シンボル内の冗長情報は切り捨てられる。これは、特に、時間及び／又は周波数について高速で相関解除する（de-correlate）チャネルを有し、その結果、隣接周波数における最新の参照シンボルのみがデータシンボルの位置でそのチャネルに関する使用可能な情報を運搬する移動ノードの場合、ならびにチャネル品質が不良であるか又は信号対雑音比（ＳＮＲ：signal to noise ratio）が低い移動ノードの場合に問題になる。
【発明の概要】
【００１１】
要約
したがって、上述の不利点の少なくともいくつかを除去し、無線通信ネットワークにおけるスケジューリングを改善するメカニズムを提供することが目的である。
【００１２】
この目的は、無線通信ネットワーク内に含まれるセル内の第１のノード内の伝送リソースをスケジュールするための方法によって達成される。第１のノードは、通信チャネルによりセル内の少なくとも１つのユーザ機器と通信するように配置される。この通信は、ダウンリンク・リソースとアップリンク・リソースとの切り替え点（switching point）とともに、アップリンク・リソース及びダウンリンク・リソースを含むフレームを使用することによって行われる。この方法は、通信の予想伝送品質及び／又は通信チャネルの予想コヒーレンス・プロパティを参照するパラメータを入手するステップを含む。また、この方法は、アップリンク・リソース又はダウンリンク・リソース上の伝送をスケジュールするステップも含む。このリソースは切り替え点から任意の時間距離（time distance）に位置する。この時間距離は入手したパラメータに基づくものである。
【００１３】
本発明により、この目的は、無線通信ネットワーク内に含まれるセル内の第１のノード内のリソース上の伝送をスケジュールするための配置によっても達成される。第１のノードは、通信チャネルによりセル内の少なくとも１つのユーザと通信するように配置される。この通信は、ダウンリンク・リソースとアップリンク・リソースとの切り替え点とともに、アップリンク・リソース及びダウンリンク・リソースを含むフレームを使用することによって行われる。この配置は、通信の予想伝送品質及び／又は通信チャネルの予想コヒーレンス・プロパティを参照するパラメータを入手するように適合された入手ユニットを含む。さらに、この配置は、切り替え点から任意の時間距離に位置するアップリンク・リソース又はダウンリンク・リソース上の伝送をスケジュールするように適合されたスケジューリング・ユニットを含む。この時間距離は、第１のノードと少なくとも１つのユーザ機器との間の通信の予想伝送品質及び／又は通信チャネルの予想コヒーレンス・プロパティを参照するパラメータに基づくものである。
【００１４】
本発明により、この目的は、無線通信ネットワーク内に含まれる制御ノード内の伝送リソースをスケジュールするための配置によっても達成される。制御ノードは第１のノードに接続される。第１のノードは、通信チャネルによりセル内の少なくとも１つのユーザ機器と通信するように配置される。この通信は、ダウンリンク・リソースとアップリンク・リソースとの切り替え点とともに、アップリンク・リソース及びダウンリンク・リソースを含むフレームを使用することによって行われる。この配置は、通信の予想伝送品質及び／又は通信チャネルの予想コヒーレンス・プロパティを参照するパラメータを入手するように適合された入手ユニットを含む。さらに、この装置は、切り替え点から任意の時間距離に位置するアップリンク・リソース又はダウンリンク・リソース上の伝送をスケジュールするように適合されたスケジューリング・ユニットを含む。この時間距離は、第１のノードと少なくとも１つのユーザ機器との間の通信の予想伝送品質及び／又は通信チャネルの予想コヒーレンス・プロパティを参照するパラメータに基づくものである。
【００１５】
一般に不良チャネル条件又は不良伝送品質を経験するユーザ機器及び／又はそのチャネルが時間及び／又は周波数の短いスケール上で変化するユーザ機器について、ガード期間による参照シンボルの切り捨てが回避されるように種々のユーザ機器に応じて伝送リソースがスケジュールされるので、ガード期間を取り入れることによって発生するパフォーマンス損失は低減され、全体的により良好なシステム・パフォーマンスが達成される。
【００１６】
図面の簡単な説明
次に、添付図面に関連して本発明についてより詳細に説明する。
【図面の簡単な説明】
【００１７】
【図１】図１は、無線通信ネットワークの諸実施形態を示すブロック図である。
【図２】図２は、リソース・ブロックの諸実施形態を示すブロック図である。
【図３】図３は、無線フレーム構造の諸実施形態を示すブロック図である。
【図４】図４は、方法ステップの諸実施形態を示す流れ図である。
【図５】図５は、第１のノード内の装置の諸実施形態を示すブロック図である。
【図６】図６は、制御ノード内の装置の諸実施形態を示すブロック図である。
【発明を実施するための形態】
【００１８】
詳細な説明
本発明は、以下に記載する諸実施形態で実施可能な方法及び配置として定義される。
【００１９】
図１は、無線通信ネットワーク１００内の少なくとも１つのユーザ機器１１０、１１２、１１４と通信する第１のノード１２０を描写している。第１のノード１２０と少なくとも１つのユーザ機器１１０、１１２、１１４との間の通信は、たとえば、無線通信ネットワーク１００内に含まれるセル１５０内の通信チャネル１４０により行うことができる。無線通信ネットワーク１００は制御ノード１３０も含むことができる。制御ノード１３０は、たとえば、無線ネットワーク・コントローラであってもよい。無線ネットワーク・コントローラ１３０は、無線通信ネットワーク１００内の管理エレメントであり、無線ネットワーク・コントローラ１３０に接続された基地局、たとえば、第１のノード１２０の制御を担当する。無線ネットワーク・コントローラ１３０は、移動管理機能の一部である無線リソース管理を実行することができ、ユーザ・データが少なくとも１つのユーザ機器１１０、１１２、１１４に／から送信される前に暗号化／暗号化解除を実行できる点である。
【００２０】
いくつかの諸実施形態では、第１のノード１２０は、無線通信用の基地局、無線通信局、固定局、制御局、レピータ（a repeater）、又は任意の同様の配置であってもよい。少なくとも１つのユーザ機器１１０、１１２、１１４は、いくつかの諸実施形態では、たとえば、無線リソースと通信可能な携帯電話（mobile cellular radiotelephone）、携帯情報端末（ＰＤＡ）、ラップトップ、コンピュータ、又は任意の他の種類の装置であってもよい。
【００２１】
しかし、図１に描写されている例では、第１のノード１２０は基地局であり、少なくとも１つのユーザ機器１１０、１１２、１１４は携帯電話である。
【００２２】
無線通信ネットワーク１００は、たとえば、ＬＴＥ、符号分割多元接続（ＣＤＭＡ：Code division multiple access）、広帯域符号分割多元接続（ＷＣＤＭＡ：Wideband Code Division Multiple Access）、ＣＤＭＡ２０００、高速ダウンリンク・パケット・データ・アクセス（ＨＳＤＰＡ：High Speed Downlink Packet Data Access）、高速アップリンク・パケット・データ・アクセス（ＨＳＵＰＡ：High Speed Uplink Packet Data Access）、高データ・レート（ＨＤＲ：High Data Rate）などの技術に基づくものにすることができる。
【００２３】
さらに、本解決策による無線通信ネットワーク１００は、時分割二重通信モードで有利に機能する。
【００２４】
いくつかの諸実施形態により必要なガード期間を作成するために、ダウンリンクからアップリンクへの切り替えの前に又はその直後に、伝送がまったく行われないようにサブフレーム全体をスケジュールすることができる。一例として、サブフレームは、１０ｍｓの無線フレームのうちの１ｍｓの部分でもよい。しかし、スループット損失を制限するために、ガード期間をサブフレームのより小さい部分、たとえば、１つ又は複数のシンボルに制限することも望ましいことである。
【００２５】
第１ノード１２０の伝送リソースは、第１のノード１２０内のメソッドによってスケジュールされる。一例として、このスケジューリングは基地局１２０内で行うことができる。いくつかの諸実施形態によれば、このスケジューリングは、一部は無線ネットワーク・コントローラ１３０内で、一部は基地局１２０内で実行することができる。いくつかの諸実施形態では、このスケジューリングは、全面的に無線ネットワーク・コントローラ１３０内で実行することができる。
【００２６】
図２は、少なくとも１つのユーザ機器１１０、１１２、１１４及び第１のノード１２０によって使用される単一送信アンテナを想定した単一ダウンリンク・リソース・ブロック用の長期進化参照シンボル位置を示している。コヒーレント復調を使用するために、たとえば、チャネル推定に使用され、時には参照シンボル又は基準信号と呼ばれるパイロットシンボル２１０は、データ２２０と多重化されて送信される。長期進化規格に関する一例として、１つの送信アンテナのみが使用される場合、図２の直交周波数分割多重（ＯＦＤＭ：Orthogonal Frequency Division Multiplexing）参照シンボルパターンがダウンリンクに使用される。
【００２７】
ガード期間は、サブフレーム２３０の終わりでシンボル２１０又は２２０のいくつかについて伝送を一切行わないことによって作成することができる。ガード期間を作成する場合、何らかの点では、十分な持続時間のアイドル期間を作成するために、参照シンボル２１０のいくつかを除去することも必要になる。したがって、サブフレーム２３０の終わりでいくつかの参照シンボル２１０が切り捨てられる。
【００２８】
図３には、可能な長期進化時分割多重無線フレーム３１０の一実施形態の時間領域（time dimension）が示されている。例示されている実施形態による無線フレーム３１０は、４つのダウンリンク・リソース、たとえば、サブフレーム３２０と、それに続く６つのアップリンク・リソース、たとえば、サブフレーム３４０とを含む。リソース３２０、３４０は、典型的には、サブフレームにすることができるが、いくつかの諸実施形態によれば、他の細分性のものにすることもできる。ダウンリンク・リソース３２０とアップリンク・リソース３４０の間には切り替え点３３０が位置する。前に説明した通り、リソース３２０、３４０は参照シンボル又はパイロット３６０を含むことができる。
【００２９】
また、図３には、非制限的な一例としてのみ、たとえば、１〜５の参照シンボル３６０を切り捨て、ガード期間３５０中にダウンリンク送信機をアイドル状態のままにすることにより、切り替え点３３０が位置する、ダウンリンクとアップリンクの伝送割り振り間のガード期間３５０を作成する方法が示されている。ガード期間３５０は、いくつかの諸実施形態によれば、たとえば、７１．４〜３５７マイクロ秒にすることができる。ガード期間３５０は、切り替え点３３０に関連して、たとえば、切り替え点３３０の直前又は直後に位置することができる。
【００３０】
少なくとも１つのユーザ機器１１０、１１２、１１４が移動性である場合、これは高いドップラー拡散を経験する可能性があり、その結果、チャネルは短い期間に相関解除することになる可能性がある。このため、前の参照シンボル３６０によって運搬されるチャネルの情報は急速に時代遅れになり、最新の参照シンボル３６０のみをチャネル推定に使用することができる。このような場合、図３のダウンリンク・リソース３２０の拡大像において、ダウンリンク・リソース３２０の終わりから３番目のシンボルスロット内の参照シンボル３６０を切り捨てることにより、先行するＯＦＤＭシンボルを誤って検出する確率が大幅に増加することになる。
【００３１】
しかし、ドップラー拡散が低いユーザ機器１１０、１１２、１１４は、大幅に低下した速度で変化するチャネルを経験する。このため、以前の参照シンボル３６０は、信頼できるチャネル推定のために十分なチャネル情報を運搬する可能性がある。その上、同じユーザに対してスケジュールされた以前のサブフレーム中に記録された参照シンボル３６０は、チャネル推定で使用可能な重要な情報を運搬する。このような状況では、最後の参照シンボル３６０が失われても、正しく検出する確率に対してあまり影響しない。
【００３２】
したがって、高速で移動する高移動度ユーザ機器１１０、１１２、１１４がその参照シンボル３６０を除去させることは、低移動度ユーザ機器１１０、１１２、１１４の場合より費用がかかる。その結果として、参照シンボル２１０を除去する必要がない無線フレームの一部分で速度又はドップラー拡散が高いユーザ機器１１０、１１２、１１４をスケジュールし、その代わりに、切り捨てられたリソース３２０、３４０内の低速で変化するチャネルを有するユーザ機器１１０、１１２、１１４をスケジュールすることは有利である。
【００３３】
セル１５０内にいくつかの高移動度ユーザ機器１１０、１１２、１１４が存在する場合、いくつかの諸実施形態によれば、参照シンボル３６０の除去を使用しない位置で小さいコヒーレンス帯域幅を有するユーザ機器１１０、１１２、１１４がスケジュールされるように、その遅延拡散に基づいてスケジュールすることもできる。より離れた周波数の参照シンボル３６０もチャネル推定に使用できるので、そのチャネルがより大きい帯域幅で相関解除しないユーザ機器１１０、１１２、１１４は参照シンボル切り捨てによる損害をあまり受けない。
【００３４】
最後に、セル・エッジに近い場合など、低い信号対雑音比の条件を経験しているユーザ機器１１０、１１２、１１４は、好ましくは、切り捨てられたリソース３２０、３４０内でスケジュールされない可能性がある。参照シンボル数の低減及び全基準エネルギーの低減によるパフォーマンス損失とは別に、より短いリソース３２０、３４０では前方誤り訂正機能は制限される可能性がある。
【００３５】
移動速度、ドップラー拡散、遅延拡散、及び／又は伝搬損失に基づくスケジューリング方式を実装するために、これらのパラメータ、コヒーレンス時間、コヒーレンス帯域幅、及び／又は信号対雑音干渉比（signal-to-noise-and-interference ratio）などの直接関連するパラメータ、あるいはその推定値は、スケジューラが知っておく必要がある。
【００３６】
ドップラー拡散、遅延拡散、及び伝搬損失、又は関連パラメータは、アップリンク基準信号、チャネル観測信号、又はランダム・アクセス信号に基づいて、あるいは他の測定値に基づいて、基地局１２０で推定して追跡することができるか、もしくはダウンリンク基準信号３６０又は他の測定値に基づいて少なくとも１つのユーザ機器１１０、１１２、１１４で推定して追跡し、他のデータとともに又は個別に基地局１２０に戻すことができる。いくつかの諸実施形態によれば、ドップラー拡散、遅延拡散、及び伝搬損失は、制御ノード１３０で推定して追跡することができる。
【００３７】
ドップラー拡散、遅延拡散、及び信号対雑音比、又は伝搬損失は、同じくチャネル推定アルゴリズムに有用である可能性があり、したがって、すでに使用可能である可能性のあるパラメータである。
【００３８】
本発明により、伝送は、移動速度、ドップラー拡散、遅延拡散、及び／又は伝搬損失に基づいて、あるいはコヒーレンス時間、コヒーレンス帯域幅、及び／又は信号対雑音比などの関連プロパティ、あるいはその測定値又は推定値に基づいて、スケジュールされる。
【００３９】
原則として、少なくとも１つのユーザ機器１１０、１１２、１１４のいずれかが通信の不良伝送品質及び／又は通信チャネル（１４０）のコヒーレンス・プロパティを経験している場合、あるいはそのように経験することが予期される場合、あるいは短い期間で相関解除するか又は変化する周波数で高速で相関解除するチャネルを有する場合、切り捨てが行われるリソース３２０、３４０でそれをスケジュールする必要はない。このようなユーザ機器１１０、１１２、１１４は、リソース３２０、３４０内の余分な参照シンボル３６０から最も恩恵を受けることになり、したがって、ガード期間３５０とも呼ばれるアイドル期間を作成するために切り捨てが行われる可能性のあるダウンリンク−アップリンク切り替え点３３０からさらに離れて位置するリソース３２０、３４０が割り振られる可能性がある。
【００４０】
図４は、無線通信ネットワーク１００内に含まれるセル１５０内の第１のノード１２０内の伝送リソース３２０、３４０をスケジュールするための方法を示す流れ図である。第１のノード１２０は、セル１５０内の少なくとも１つのユーザ機器１１０、１１２、１１４と通信するように配置される。この通信は、ダウンリンク・リソース３２０とアップリンク・リソース３４０との切り替え点３３０とともに、アップリンク・リソース３４０及びダウンリンク・リソース３２０を含むフレーム３１０によって行われる。リソース３２０、３４０は、たとえば、アップリンク・サブフレーム及び／又はダウンリンク・サブフレームなどのサブフレームにすることができる。この方法は以下の諸ステップを含む。
【００４１】
ステップ４００
いくつかの諸実施形態によれば、第１のノード１２０と少なくとも１つのユーザ機器１１０、１１２、１１４との間の通信を可能にするために、基地局１２０は、たとえば、より高い層又は少なくとも１つのユーザ機器１１０、１１２、１１４から伝送リソースに関する要求を受信する。
【００４２】
ステップ４１０
基地局１２０は、通信の予想伝送品質及び／又は通信チャネル１４０の予想コヒーレンス・プロパティを参照するパラメータを入手する。この通信は少なくとも１つの無線信号を含む。いくつかの諸実施形態によれば、パラメータを入手するステップは、第１のノード１２０と少なくとも１つのユーザ機器１１０、１１２、１１４との間の通信の伝送品質及び／又は通信チャネル１４０のコヒーレンス・プロパティを推定することによって実行される。本発明のいくつかの諸実施形態によれば、通信の伝送品質及び／又は通信チャネル１４０のコヒーレンス・プロパティを推定するステップは第１のノード１２０で実行することができる。
【００４３】
いくつかの諸実施形態では、第１のノード１２０と少なくとも１つのユーザ機器１１０、１１２、１１４との間の通信の伝送品質及び／又は通信チャネル１４０のコヒーレンス・プロパティは、たとえば、移動速度、ドップラー拡散、遅延拡散、コヒーレンス時間、コヒーレンス帯域幅、信号対雑音比、又は伝搬損失、あるいはその組み合わせなど、通信の伝送品質及び／又は通信チャネル１４０のコヒーレンス・プロパティに関連する１つの推定されたパラメータ又は複数の推定されたパラメータに基づくものにすることができる。
【００４４】
さらに、通信の伝送品質及び／又は通信チャネル１４０のコヒーレンス・プロパティの推定は、いくつかの諸実施形態によれば、たとえば、第１のノード１２０と少なくとも１つのユーザ機器１１０、１１２、１１４との間のアップリンク基準信号、チャネル観測信号、又はランダム・アクセス信号に基づくものにすることができる。
【００４５】
しかし、いくつかの諸実施形態によれば、第１のノード１２０と少なくとも１つのユーザ機器１１０、１１２、１１４との間の通信の伝送品質及び／又は通信チャネル１４０のコヒーレンス・プロパティの推定は、その代わりに、少なくとも１つのユーザ機器１１０、１１２、１１４で実行することができる。これらの諸実施形態によれば、通信の予想伝送品質及び／又は通信チャネル１４０の予想コヒーレンス・プロパティを参照するパラメータを入手するステップ４１０はさらに、第１のノード１２０と少なくとも１つのユーザ機器１１０、１１２、１１４との間の通信の予想伝送品質及び／又は通信チャネル１４０の予想コヒーレンス・プロパティの推定を他のノードから受信することによって実行することができる。この他のノードは、たとえば、他のユーザ機器１１０、１１２、１１４にすることができる。いくつかの諸実施形態によれば、この他のノードは制御ノード１３０であってもよい。
【００４６】
ステップ４２０
いくつかの諸実施形態では、基地局１２０は、第１のノード１２０と少なくとも１つのユーザ機器１１０、１１２、１１４との間の通信の伝送品質及び／又は通信チャネル１４０のコヒーレンス・プロパティ（ｑ）が所定のしきい値（δ）より低いことを検出する。任意選択のステップ４２０は、この方法のいくつかの諸実施形態によってのみ実行される。所定のしきい値（δ）は、たとえば、無線通信ネットワーク１００のオペレータによって前もって設定することができる。前述の通り、通信の伝送品質及び／又は通信チャネル１４０のコヒーレンス・プロパティ（ｑ）は、たとえば、移動速度、ドップラー拡散、遅延拡散、コヒーレンス時間、コヒーレンス帯域幅、信号対雑音比、又は伝搬損失、あるいは上述の測定値のいずれか、いくつか、又は全部の組み合わせなどの大きさで測定することができる。したがって、たとえば、以下のようになる。
IF q < δ THEN low transmission quality/ low correlation property
ELSE OK transmission quality/ OK correlation property
【００４７】
しかし、いくつかの諸実施形態によれば、第１のノード１２０と少なくとも１つのユーザ機器１１０、１１２、１１４との間で送信された通信の伝送品質及び通信チャネル１４０のコヒーレンス・プロパティ（ｑ１、ｑ２、ｑ３）が、所定の複数のしきい値（δ１、δ２、δ３）を含む複合しきい値（δ）より低いかどうかの検出が行われる。これは、たとえば、以下のように示すことができる。
IF f(q1, q2, q3) < δ THEN low transmission quality/ low correlation property
ELSE OK transmission quality/ OK correlation property
【００４８】
この場合、ｆ（ｑ１，ｑ２，ｑ３）は任意のコスト関数である。第１のノード１２０と少なくとも１つのユーザ機器１１０、１１２、１１４との間の通信の伝送品質及び／又は通信チャネル１４０のコヒーレンス・プロパティ（ｑ）が所定のしきい値（δ）より低いことを検出する任意選択のステップ４２０は、いくつかの諸実施形態によれば、たとえば、サブフレームなどの切り捨てられたリソースをセル１５０内の単一ユーザに使用できるかどうかを判断するために使用することができる。
【００４９】
ステップ４３０
いくつかの諸実施形態では、基地局１２０は、第１のノード１２０と少なくとも１つのユーザ機器１１０、１１２、１１４との間の通信の伝送品質及び／又は通信チャネル１４０のコヒーレンス・プロパティを、第１のノード１２０と少なくとも１つのユーザ機器１１０、１１２、１１４の他のインスタンスとの間の他の通信の伝送品質及び／又は他のチャネルのコヒーレンス・プロパティと比較する。通信の伝送品質及び／又は通信チャネル１４０のコヒーレンス・プロパティを他の通信の伝送品質及び／又は他のチャネルのコヒーレンス・プロパティと比較する任意選択のステップ４３０は、いくつかの諸実施形態によれば、複数のユーザ機器１１０、１１２、１１４がセル１５０内に同時に存在するときに実行することができる。
【００５０】
ステップ４４０
いくつかの諸実施形態では、基地局１２０は、第１のノード１２０によって確立された他の通信及び／又はチャネル１４０のコヒーレンス・プロパティと比較して、優先順位の順に第１のノード１２０と少なくとも１つのユーザ機器１１０、１１２、１１４との間の通信をソートする。このソート及び比較は、通信の伝送品質及び／又は通信チャネル１４０のコヒーレンス・プロパティによって決まる。したがって、第１のノード１２０と少なくとも１つのユーザ機器１１０、１１２、１１４との間の通信の伝送品質及び／又は通信チャネル１４０のコヒーレンス・プロパティは、同じ第１のノード１２０のリソースについて競合する少なくとも１つのユーザ機器１１０、１１２、１１４の他のインスタンスのものに関連する。したがって、より不十分な無線信号条件及び／又はより弱いチャネル相関プロパティを有するユーザ機器１１０、１１２、１１４は、パイロット又は参照シンボル３６０の切り捨てがまったく不要である場合にスケジュールすることができ、通信の伝送品質及び／又は通信チャネルのコヒーレンス・プロパティなどのより良好な無線信号条件を有する少なくとも１つのユーザ機器１１０、１１２、１１４は、より少ないパフォーマンス損失でそのパイロット又は参照シンボル３６０を切り捨てさせることができる。
【００５１】
ステップ４５０
基地局１２０は、切り替え点３３０から任意の時間距離に位置するアップリンク・リソース又はダウンリンク・リソース３２０、３４０上の伝送をスケジュールする。この時間距離は入手したパラメータに基づくものである。スケジューリングは、ガード期間３５０によるパフォーマンス損失を低減するために実行される。
【００５２】
スケジューリング４５０は、通信の予想伝送品質及び／又は通信チャネル１４０のコヒーレンス・プロパティを参照する少なくとも１つのパラメータに基づくか、いくつかの諸実施形態によれば、第１のノード１２０と少なくとも１つのユーザ機器１１０、１１２、１１４との間の通信の推定又は測定された伝送品質及び／又は通信チャネル１４０のコヒーレンス・プロパティに基づいて行うことができる。
【００５３】
前述の通り、通信の伝送品質及び／又は通信チャネル１４０のコヒーレンス・プロパティは、たとえば、移動速度、ドップラー拡散、遅延拡散、コヒーレンス時間、コヒーレンス帯域幅、信号対雑音比、又は伝搬損失、あるいは上述の測定値のいくつか又は全部の組み合わせなどの大きさで測定することができる。
【００５４】
いくつかの諸実施形態によれば、スケジュールするステップ４５０は、通信の不良伝送品質及び／又は通信チャネルの弱いコヒーレンス・プロパティを有する少なくとも１つのユーザ機器１１０、１１２、１１４が、切り捨てが行われるリソース３２０、３４０でスケジュールされないように実行される。
【００５５】
上記のステップ４００〜４５０のうちの少なくともいくつかによる上記の方法は、いくつかの諸実施形態によれば、基地局によって表される第１のノード１２０で実行することができる。
【００５６】
上記のステップ４００〜４５０のうちの少なくともいくつかによる上記の方法は、いくつかの諸実施形態によれば、たとえば、無線ネットワーク・コントローラなどの制御ノードによって表される第１のノード１２０で実行することができる。
【００５７】
上記のステップ４００〜４５０のうちの少なくともいくつかによる上記の方法は、いくつかの諸実施形態によれば、たとえば、移動通信装置などのユーザ機器によって表される第１のノード１２０で実行することができる。
【００５８】
いくつかの諸実施形態によれば、セル式電気通信網１００のユニット１２０内の方法が提供される。この方法は、ガード期間３５０によるパフォーマンス損失を低減するために異なるユーザ１１０、１１２、１１４に応じて伝送リソースをスケジュールするステップを含む。また、この方法は、いくつかの諸実施形態によれば、移動速度、ドップラー拡散、遅延拡散、コヒーレンス時間、コヒーレンス帯域幅、信号対雑音比、又は伝搬損失、あるいはその組み合わせなどのパラメータに基づいてスケジュールするステップを含む。
【００５９】
いくつかの諸実施形態によれば、この方法は、移動速度、ドップラー拡散、遅延拡散、コヒーレンス時間、コヒーレンス帯域幅、信号対雑音比、又は伝搬損失などのパラメータを入手するために、関連するチャネル・パラメータを測定する追加のステップを含む。
【００６０】
いくつかの諸実施形態によれば、この方法は、移動速度、ドップラー拡散、遅延拡散、コヒーレンス時間、コヒーレンス帯域幅、信号対雑音比、又は伝搬損失などのパラメータのいくつか又は全部を推定する追加のステップを含む。
【００６１】
いくつかの諸実施形態によれば、この方法は、アップリンク基準信号、チャネル観測信号、又はランダム・アクセス信号に基づいてパラメータ推定値／測定値を求める追加のステップを含むことができる。この方法はさらに、いくつかの諸実施形態によれば、基地局１２０で前記パラメータを追跡するステップを含むことができる。
【００６２】
しかし、この方法は、代わって、いくつかの諸実施形態により、移動ユニット１１０、１１２、１１４で測定値に基づいてパラメータを追跡するステップを含むことができる。さらに、この方法は、いくつかの諸実施形態によれば、他の必要な制御情報とともに、又は他のデータとともに、あるいは個別に、基地局１２０で前記パラメータを受信することを含むことができる。
【００６３】
図５は、第１のノード１２０内の伝送リソースをスケジュールするための配置５００を示すブロック図である。第１のノード１２０は、無線通信ネットワーク１００内のセル１５０に含まれる。第１のノード１２０は、セル１５０内の少なくとも１つのユーザ機器１１０、１１２、１１４と通信するように配置される。この通信は、第１のノード１２０と少なくとも１つのユーザ機器１１０、１１２、１１４との間で信号を送信することによって実行することができる。この通信はさらに、ダウンリンク・リソース３２０とアップリンク・リソース３４０との切り替え点３３０とともに、アップリンク・リソース３４０及びダウンリンク・リソース３２０を含むフレーム３１０を使用することによって行われる。リソース３２０、３４０は、たとえば、アップリンク・サブフレーム及び／又はダウンリンク・サブフレームなどのサブフレームであってもよい。
【００６４】
第１のノードの配置５００はスケジューリング・ユニット５１０を含む。スケジューリング・ユニット５１０は、切り替え点から任意の時間距離に位置するアップリンク・リソース又はダウンリンク・リソース３２０、３４０上の伝送をスケジュールするように適合される。この時間距離は、第１のノード１２０と少なくとも１つのユーザ機器１１０、１１２、１１４との間の通信の予想伝送品質及び／又は通信チャネル１４０の予想コヒーレンス・プロパティを参照するパラメータに基づくものである。
【００６５】
したがって、このスケジューリングは、ガード期間３５０によるパフォーマンス損失を低減するために、第１のノード１２０と少なくとも１つのユーザ機器１１０、１１２、１１４との間で送信された通信の伝送品質及び／又は通信チャネル１４０のコヒーレンス・プロパティを参照する少なくとも１つのパラメータに基づくものである。
【００６６】
また、第１のノードの配置５００は、通信の予想伝送品質及び／又は信号及び／又は通信チャネル１４０のコヒーレンス・プロパティを参照するパラメータを入手するように適合された入手ユニット５２０をさらに含む。
【００６７】
入手ユニット５２０は、いくつかの諸実施形態によれば、推定ユニット５２５を含むことができる。推定ユニット５２５は、第１のノード１２０と少なくとも１つのユーザ機器１１０、１１２、１１４との間の通信の伝送品質及び／又は通信チャネル１４０のコヒーレンス・プロパティを推定するように適合することができる。
【００６８】
第１のノードの配置５００はさらに、いくつかの諸実施形態によれば、たとえば、より高い層又はユーザ機器１１０、１１２、１１４から伝送リソースに関する要求を受信するように適合された受信ユニット５６０を含むことができる。
【００６９】
第１のノードの配置５００は、いくつかの諸実施形態によれば、検出ユニット５３０を含むことができる。検出ユニット５３０は、第１のノード１２０と少なくとも１つのユーザ機器１１０、１１２、１１４との間の通信の伝送品質及び／又は通信チャネル１４０のコヒーレンス・プロパティが所定のしきい値より低いかどうかを検出するように適合される。
【００７０】
さらに、第１のノードの配置５００は、いくつかの諸実施形態によれば、比較ユニット５４０を含むことができる。比較ユニット５４０は、第１のノード１２０と少なくとも１つのユーザ機器１１０、１１２、１１４との間の通信の伝送品質及び／又は通信チャネルのコヒーレンス・プロパティを、第１のノード１２０とユーザ機器１１０、１１２、１１４の他のインスタンスとの間の通信の伝送品質及び／又は通信チャネルのコヒーレンス・プロパティと比較するように適合される。
【００７１】
さらに、配置５００は、いくつかの諸実施形態によれば、通信の伝送品質及び／又は通信チャネル１４０のコヒーレンス・プロパティ次第で、ユーザ機器１１０、１１２、１１４の他のインスタンスとともに第１のノード１２０によって確立された他の通信と比較して、優先順位の順に第１のノード１２０と少なくとも１つのユーザ機器１１０、１１２、１１４との間の通信をソートするように適合された編成ユニット５５０を含むことができる。
【００７２】
前述のユニット、すなわち、スケジューリング・ユニット５１０、推定ユニット５２０、検出ユニット５３０、比較ユニット５４０、編成ユニット５５０、及び受信ユニット５６０のうちのいくつか又は全部は、いくつかの諸実施形態によれば、同じ物理装置内に含めることができる。しかし、これらのユニットは別々の物理装置内に含めることもできる。
【００７３】
したがって、電気通信システム１００内にネットワーク・ユニット１２０が提供される。ネットワーク・ユニット１２０は、前述の方法の諸ステップを実行するための手段によって特徴付けられる。
【００７４】
この装置は、いくつかの諸実施形態によれば、基地局によって表される第１のノード１２０内に含めることができる。
【００７５】
この装置は、いくつかの諸実施形態によれば、たとえば、無線ネットワーク・コントローラなどの制御ノードによって表される第１のノード１２０内に含めることができる。
【００７６】
図６は、無線通信ネットワーク１００内に含まれる制御ノード１３０内の伝送リソースをスケジュールするための配置６００を示しており、前記制御ノード１３０は第１のノード１２０に接続されている。第１のノード１２０は、セル１５０内の少なくとも１つのユーザ機器１１０、１１２、１１４と通信するように配置される。この通信は、ダウンリンク・リソース３２０とアップリンク・リソース３４０との切り替え点３３０とともに、アップリンク・リソース３４０及びダウンリンク・リソース３２０を含むフレーム３１０によって行われる。リソース３２０、３４０は、たとえば、アップリンク・サブフレーム及び／又はダウンリンク・サブフレームなどのサブフレームであってもよい。
【００７７】
配置６００は、少なくとも１つのユーザ機器１１０、１１２、１１４に関する情報を第１のノード１２０から受信するように適合された受信ユニット６６０を含む。さらに、配置６００は、第１のノード１２０と少なくとも１つのユーザ機器１１０、１１２、１１４との間の通信の予想伝送品質及び／又は通信チャネル１４０の予想コヒーレンス・プロパティを参照するパラメータを入手するように適合された入手ユニット６２０を含む。
【００７８】
配置６００はスケジューリング・ユニット６１０を含む。スケジューリング・ユニット６１０は、切り替え点から任意の時間距離に位置するアップリンク・リソース又はダウンリンク・リソース３２０、３４０上の伝送をスケジュールするように適合される。この時間距離は、第１のノード１２０と少なくとも１つのユーザ機器１１０、１１２、１１４との間の通信の予想伝送品質及び／又は通信チャネル１４０の予想コヒーレンス・プロパティを参照するパラメータに基づくものである。
【００７９】
いくつかの諸実施形態によれば、制御ノードの配置６００は、第１のノード１２０と少なくとも１つのユーザ機器１１０、１１２、１１４との間の通信の伝送品質及び／又は通信チャネル１４０のコヒーレンス・プロパティを推定するように適合された推定ユニット６２５をさらに含む。
【００８０】
いくつかの諸実施形態によれば、制御ノードの配置６００は、第１のノード１２０と少なくとも１つのユーザ機器１１０、１１２、１１４との間の通信の伝送品質及び／又は通信チャネルのコヒーレンス・プロパティを、第１のノード１２０とユーザ機器１１０、１１２、１１４の他のインスタンスとの間の通信の伝送品質及び／又は通信チャネルのコヒーレンス・プロパティと比較するように適合された比較ユニット６４０をさらに含む。
【００８１】
さらにいくつかの諸実施形態によれば、制御ノードの配置６００は、第１のノード１２０と少なくとも１つのユーザ機器１１０、１１２、１１４との間の通信をソートするように適合された編成ユニット６５０をさらに含む。このソートは、通信の伝送品質及び／又は通信チャネル１４０のコヒーレンス・プロパティ次第で、第１のノード１２０によって確立された他の通信と比較して、優先順位の順に行われる。
【００８２】
さらにいくつかの諸実施形態によれば、制御ノードの配置６００は、第１のノード１２０と少なくとも１つのユーザ機器１１０、１１２、１１４との間の通信の伝送品質及び／又は通信チャネル１４０のコヒーレンス・プロパティが所定のしきい値より低いことを検出するように適合された検出ユニット６３０をさらに含む。
【００８３】
前述のユニット、すなわち、スケジューリング・ユニット６１０、推定ユニット６２０、検出ユニット６３０、比較ユニット６４０、編成ユニット６５０、及び受信ユニット６６０のうちのいくつか又は全部は、いくつかの諸実施形態によれば、同じ物理装置内に含めることができる。しかし、これらのユニットは別々の物理装置内に含めることもできる。
【００８４】
したがって、電気通信システム１００内にネットワーク・ユニット１３０が提供される。ネットワーク・ユニット１３０は、前述の方法の諸ステップを実行するための手段によって特徴付けられる。
【００８５】
本発明により伝送リソースをスケジュールするための方法は、本方法の諸機能を実行するためのコンピュータ・プログラム・コードとともに、図５に描写されている基地局の配置５００内のプロセッサ５２０又は図６に描写されている制御ノードの配置６００内のプロセッサ６２０などの１つ又は複数のプロセッサによって実装することができる。上述のプログラム・コードは、たとえば、基地局１２０及び／又はユーザ機器１１０及び／又は制御ノード１３０にロードされたときに本発明による方法を実行するためのコンピュータ・プログラム・コードを運搬するデータ・キャリアの形で、コンピュータ・プログラム・プロダクトとして提供することもできる。データ・キャリアは、機械可読データを保持することができる、ＣＤ−ＲＯＭディスク、メモリ・スティック、あるいはディスク又はテープなどの任意の他の媒体であってもよい。コンピュータ・プログラム・コードはさらに、サーバ上の純粋なプログラム・コードとして提供し、基地局１２０及び／又はユーザ機器１１０及び／又は制御ノード１３０にリモートでダウンロードすることができる。
【００８６】
本明細書で論じた本発明により伝送リソースのスケジューリングを実行するためのコンピュータ・プログラム・コードは、開発の便宜上、Ｊａｖａ（登録商標）、Ｃ、及び／又はＣ＋＋などの高水準プログラミング言語で作成することができる。加えて、本発明の諸実施形態の動作を実行するためのコンピュータ・プログラム・コードは、解釈された言語などであるが、これに限定されない他のプログラミング言語で作成することができる。モジュール又はルーチンによっては、パフォーマンス及び／又はメモリ使用状況を強化するためにアセンブリ言語又はマイクロコードで作成することができる。プログラム・モジュールのいずれか又は全部の機能性は、個別のハードウェア・コンポーネント、１つ又は複数の特定用途向け集積回路（ＡＳＩＣ）、あるいはプログラムされたデジタル信号プロセッサ又はマイクロコントローラを使用して実装できることも、さらに認識されるであろう。
【００８７】
本書に記載されている方法及び配置は様々な変更例及び代替形式が可能であるが、その特定の諸実施形態が例として図面に示され、本明細書に詳細に記載されている。しかし、開示されている特定の形式に本方法及び配置を限定する意図はまったくなく、それどころか、本方法及び配置は特許請求の範囲によって定義される方法及び配置の精神及び範囲内に該当するすべての変更例、同等例、及び代替例を包含するものであることを理解されたい。
【００８８】
さらに、例により、伝送品質に関する理解を単純化するために、所望の信号のレベルとバックグラウンド・ノイズ及び信号障害のレベルとの比率である信号対雑音比を記述するときに本文で一貫してＳＮＲという用語を使用している。この比率が高いほど、バックグラウンド・ノイズが目立たなくなる。しかし、たとえば、信号対雑音比（Ｓ／Ｎ）、信号対雑音干渉比（ＳＩＲ：Signal to Noise and Interference Ratio）、信号対雑音干渉比（ＳＮＩＲ：Signal to Noise and Interference Ratio）、信号対混信雑音比（ＳＩＮＲ：Signal to Interference and Noise Ratio）、搬送波対干渉比（ＣＩＲ：Carrier to Interference Ratio）、あるいは干渉対信号比（ＩＳＲ：Interference to Signal Ratio）のようなその比率の反転形のように、同じ比率又は同様の比率を記述するために時折使用される他の頭字語が存在する。上記又は同様の比率のいずれも、ＳＮＲの代わりにこの説明に関連して使用することができる。
【００８９】
同様の参照番号は、図面の説明全体を通して同様の要素を意味する。
【００９０】
本明細書で使用する「a」、「an」、及び「the」という単数形は、特に明確に記載されていない限り、複数形も含むものである。本明細書で使用されている場合、「comprises（含む）」及び／又は「comprising（含む）」という用語は、所定の特徴、整数、ステップ、動作、要素、及び／又はコンポーネントの存在を指定するものと解釈されるが、１つ又は複数の他の特徴、整数、ステップ、動作、要素、コンポーネント、及び／又はそれらのグループの存在又は追加を排除しないことをさらに理解されたい。ある要素が他の要素に「connected（接続）」又は「coupled（結合）」されていると言われるときに、その要素は他の要素に直接接続又は結合される場合もあれば、介在要素が存在する場合もあることが理解されるであろう。
【００９１】
さらに、本明細書で使用する「connected（接続）」又は「coupled（結合）」は、無線で接続又は結合されることを含むことができる。本明細書で使用する「and/or（及び／又は）」という用語は、列挙されている関連項目のうちのいずれか、ならびにそのうちの１つ又は複数からなるすべての組み合わせを含む。
【００９２】
他に定義されていない限り、本明細書で使用する技術用語及び科学用語を含むすべての用語は、上記の方法及び装置が属す技術分野の当業者によって一般に理解されるものと同じ意味を有する。一般に使用される辞書に定義されているような用語は、関連技術分野の状況におけるそれぞれの意味と一貫した意味を有するものと解釈すべきであり、本明細書にそのように明確に定義されていない限り、理想化された意味又は過度に形式的な意味で解釈されないことは、さらに理解されるであろう。
【００９３】
例示のため、本方法及び配置の諸実施形態は、ユーザ機器１１０、基地局１２０、及び制御ノード１３０に関連して本明細書に記載されている。しかし、本方法及び配置は、このような諸実施形態に限定されず、一般に、そこに無線信号伝播手段を含むか又はそこに無線信号伝播手段を含む他の電子装置に接続されている任意の電子装置として実施できることが理解されるであろう。
【図１】
2010524388.tif 000003
【図２】
2010524388.tif 000004
【図３】
2010524388.tif 000005
【図４】
2010524388.tif 000006
【図５】
2010524388.tif 000007
【図６】
2010524388.tif 000008
【手続補正書】
【提出日】平成20年12月23日(2008.12.23)
【手続補正１】
【補正対象書類名】明細書
【補正対象項目名】００１０
【補正方法】変更
【補正の内容】
【００１０】
ガード期間は、サブフレームの終わりでデータシンボルのいくつかについて伝送を一切行わないことによって作成することができる。サブフレームの始まりで同様の切り捨て（truncation）を行うこともできる。しかし、段階によっては、十分なアイドル期間を作成するために、チャネル推定に使用されるいくつかの参照シンボル又はパイロットも除去することが必要になる。この結果、必然的に、チャネル推定の正確さが低下する。どちらも有用である可能性があるデータシンボル又は参照シンボル内の冗長情報は切り捨てられる。これは、特に、時間及び／又は周波数について高速で相関解除する（de-correlate）チャネルを有し、その結果、隣接周波数における最新の参照シンボルのみがデータシンボルの位置でそのチャネル関する使用可能な情報を運搬する移動ノードの場合、ならびにチャネル品質が不良であるか又は信号対雑音比（ＳＮＲ：signal to noise ratio）が低い移動ノードの場合に問題になる。ＥＰ１５１１１９０Ａ１は、ガード期間を作成するための方法を開示している。
【手続補正２】
【補正対象書類名】明細書
【補正対象項目名】００１１
【補正方法】変更
【補正の内容】
【００１１】
したがって、上述の不利点の少なくともいくつかを除去し、無線通信ネットワークにおけるスケジューリングを改善するメカニズムを提供することが目的である。これは、請求項１、請求項１１及び請求項１５に開示されている諸実施形態によって達成される。
【手続補正３】
【補正対象書類名】特許請求の範囲
【補正対象項目名】全文
【補正方法】変更
【補正の内容】
【特許請求の範囲】
【請求項１】
無線通信ネットワーク（１００）内に含まれるセル（１５０）内の第１のノード（１２０）内の伝送リソース（３２０、３４０）をスケジュールするための方法であって、アップリンク・リソース（３４０）及びダウンリンク・リソース（３２０）を、当該ダウンリンク・リソース（３２０）と当該アップリンク・リソース（３４０）との切り替え点（３３０）とともに、含むフレーム（３１０）を使用することにより、前記第１のノード（１２０）が通信チャネル（１４０）により前記セル（１５０）内の少なくとも１つのユーザ機器（１１０、１１２、１１４）と通信するように配置され、前記切り替え点（３４０）に関連して位置するガード期間（３５０）を作成するためにパイロット／参照シンボルの切り捨てが行われる、前記方法が、
前記通信の予想伝送品質及び／又は前記通信チャネル（１４０）の予想コヒーレンス・プロパティを参照するパラメータを入手するステップ（４１０）と、
前記切り替え点（３３０）から任意の時間距離に位置するアップリンク・リソース又はダウンリンク・リソース（３２０、３４０）上の伝送をスケジュールするステップ（４５０）であって、この時間距離は前記入手したパラメータ及び前記切り捨てが前記伝送のパフォーマンス損失にどのように影響を及ぼすかに基づくものであるステップ（４５０）と、
を含む、方法。
【請求項２】
前記通信の前記予想伝送品質及び／又は前記通信チャネル（１４０）の前記予想コヒーレンス・プロパティを参照するパラメータを入手する前記ステップ（４１０）が、前記第１のノード（１２０）と前記少なくとも１つのユーザ機器（１１０、１１２、１１４）との間の前記通信の前記予想伝送品質及び／又は前記通信チャネル（１４０）の前記予想コヒーレンス・プロパティを推定することを含む、請求項１記載の方法。
【請求項３】
前記第１のノード（１２０）と前記少なくとも１つのユーザ機器（１１０、１１２、１１４）との間の前記通信の前記伝送品質及び／又は前記通信チャネル（１４０）の前記コヒーレンス・プロパティを、前記第１のノード（１２０）と前記ユーザ機器（１１０、１１２、１１４）の他のインスタンスとの間の他の通信の伝送品質及び／又は他の通信チャネルのコヒーレンス・プロパティと比較するステップ（４３０）と、
前記通信の前記伝送品質及び／又は前記通信チャネル（１４０）のコヒーレンス・プロパティ次第で、前記第１のノード（１２０）によって確立された他の通信と比較して、優先順位の順に前記第１のノード（１２０）と前記少なくとも１つのユーザ機器（１１０、１１２、１１４）との間の前記通信をソートするステップ（４４０）と、
をさらに含む、請求項１から２のいずれかに記載の方法。
【請求項４】
前記第１のノード（１２０）と前記少なくとも１つのユーザ機器（１１０、１１２、１１４）との間の前記通信の前記伝送品質及び／又は前記通信チャネル（１４０）のコヒーレンス・プロパティが所定のしきい値より低いことを検出するステップ（４２０）
をさらに含む、請求項１から３のいずれかに記載の方法。
【請求項５】
前記第１のノード（１２０）と前記少なくとも１つのユーザ機器（１１０、１１２、１１４）との間の前記通信の前記伝送品質及び／又は前記通信チャネル（１４０）のコヒーレンス・プロパティが、コヒーレンス時間、コヒーレンス帯域幅、又は信号対雑音比などのパラメータもしくは移動速度、ドップラー拡散、遅延拡散、又は伝搬損失、あるいはその組み合わせなどの関連パラメータのいずれかに基づいて推定される、請求項１から４のいずれかに記載の方法。
【請求項６】
前記通信の前記伝送品質及び／又は通信チャネル（１４０）のコヒーレンス・プロパティの前記推定が、前記第１のノード（１２０）と前記少なくとも１つのユーザ機器（１１０、１１２、１１４）との間のアップリンク基準信号、チャネル観測信号、又はランダム・アクセス信号のいずれかに基づいて行われる、請求項１から５のいずれかに記載の方法。
【請求項７】
前記通信の前記予想伝送品質及び／又は前記通信チャネル（１４０）の前記予想コヒーレンス・プロパティを参照するパラメータを入手する前記ステップが、前記第１のノード（１２０）と前記少なくとも１つのユーザ機器（１１０、１１２、１１４）との間の前記通信の伝送品質及び／又は前記通信チャネル（１４０）のコヒーレンス・プロパティの推定を他のノード（１１０、１１２、１１４）から受信することを含む、請求項１から６のいずれかに記載の方法。
【請求項８】
前記少なくとも１つのユーザ機器（１１０、１１２、１１４）に応じてリソースをスケジュールする前記ステップ（４５０）は、前記通信の不良伝送品質及び／又は前記通信チャネル（１４０）の弱いコヒーレンス・プロパティを有する前記少なくとも１つのユーザ機器（１１０、１１２、１１４）が、切り捨てが行われるリソース（３２０、３４０）上でスケジュールされないように実行される、請求項１から７のいずれかに記載の方法。
【請求項９】
前記第１のノード（１２０）が基地局である、請求項１から８のいずれかに記載の方法。
【請求項１０】
前記第１のノード（１２０）が制御ノードである、請求項１から９のいずれかに記載の方法。
【請求項１１】
無線通信ネットワーク（１００）内に含まれるセル（１５０）内の第１のノード（１２０）内の伝送リソース（３２０、３４０）をスケジュールするための配置（５００）であって、アップリンク・リソース（３４０）及びダウンリンク・リソース（３２０）を、当該ダウンリンク・リソース（３２０）と当該アップリンク・リソース（３４０）との切り替え点（３３０）とともに、含むフレーム（３１０）を使用することにより、前記第１のノード（１２０）が前記セル（１５０）内の少なくとも１つのユーザ機器（１１０、１１２、１１４）と通信するように配置され、前記切り替え点（３４０）に関連して位置するガード期間（３５０）を作成するためにパイロット／参照シンボルの切り捨てが行われる、前記配置（５００）が、
前記通信の予想伝送品質及び／又は通信チャネル（１４０）の予想コヒーレンス・プロパティを参照するパラメータを入手するように適合された入手ユニット（５２０）と、
前記切り替え点（３３０）から任意の時間距離に位置するリソース（３２０、３４０）上の前記少なくとも１つのユーザ機器（１１０、１１２、１１４）をスケジュールするように適合されたスケジューリング・ユニット（５１０）であって、この時間距離は前記第１のノード（１２０）と前記少なくとも１つのユーザ機器（１１０、１１２、１１４）との間の前記通信の前記予想伝送品質及び／又は前記通信チャネル（１４０）の前記予想コヒーレンス・プロパティを参照するパラメータならびに前記切り捨てが前記第１のノード（１２０）と前記少なくとも１つのユーザ機器（１１０、１１２、１１４）との間の前記通信／チャネルのパフォーマンス損失にどのように影響を及ぼすかに基づくものであるスケジューリング・ユニット（５１０）と、
を含む、配置（５００）。
【請求項１２】
前記第１のノードの配置（５００）が、
前記第１のノード（１２０）と前記少なくとも１つのユーザ機器（１１０、１１２、１１４）との間の前記通信の前記伝送品質及び／又は前記通信チャネル（１４０）のコヒーレンス・プロパティを推定するように適合された推定ユニット（５２０）と、
前記第１のノード（１２０）と前記少なくとも１つのユーザ機器（１１０、１１２、１１４）との間の前記通信の前記伝送品質及び／又は前記通信チャネル（１４０）のコヒーレンス・プロパティを、前記第１のノード（１２０）と前記少なくとも１つのユーザ機器（１１０、１１２、１１４）の他のインスタンスとの間の通信の伝送品質及び／又は他の通信チャネルのコヒーレンス・プロパティと比較するように適合された比較ユニット（５４０）と、
前記通信の前記伝送品質及び／又は前記通信チャネル（１４０）のコヒーレンス・プロパティ次第で、前記第１のノード（１２０）によって確立された他の通信と比較して、優先順位の順に前記第１のノード（１２０）と前記少なくとも１つのユーザ機器（１１０、１１２、１１４）との間の前記通信をソートするように適合された編成ユニット（５５０）と、
をさらに含む、請求項１１記載の配置（５００）。
【請求項１３】
前記第１のノードの配置（５００）が、
前記第１のノード（１２０）と前記少なくとも１つのユーザ機器（１１０、１１２、１１４）との間の前記通信の前記伝送品質及び／又は前記通信チャネル（１４０）のコヒーレンス・プロパティが所定のしきい値より低い／弱いかどうかを検出するように適合された検出ユニット（５３０）
をさらに含む、請求項１１から１２のいずれかに記載の配置（５００）。
【請求項１４】
前記第１のノード（１２０）が基地局である、請求項１１から１３のいずれかに記載の配置（５００）。
【請求項１５】
無線通信ネットワーク（１００）内に含まれる制御ノード（１３０）内の伝送リソース（３２０、３４０）をスケジュールするための配置（６００）であって、前記制御ノード（１３０）が第１のノード（１２０）に接続され、アップリンク・リソース（３４０）及びダウンリンク・リソース（３２０）を、当該ダウンリンク・リソース（３２０）と当該アップリンク・リソース（３４０）との切り替え点（３３０）とともに、含むフレーム（３１０）を使用することにより、前記第１のノード（１２０）が前記セル（１５０）内の少なくとも１つのユーザ機器（１１０、１１２、１１４）と通信するように配置され、前記切り替え点（３４０）に関連して位置するガード期間（３５０）を作成するためにパイロット／参照シンボルの切り捨てが行われる、前記配置（６００）が、
前記第１のノード（１２０）と前記少なくとも１つのユーザ機器（１１０、１１２、１１４）との間の前記通信の予想伝送品質及び／又は通信チャネル（１４０）の予想コヒーレンス・プロパティを参照するパラメータを入手するように適合された入手ユニット（６２０）と、
前記切り替え点（３３０）から任意の時間距離に位置するアップリンク・リソース又はダウンリンク・リソース（３２０、３４０）上の伝送をスケジュールするように適合されたスケジューリング・ユニット（６１０）であって、この時間距離は前記第１のノード（１２０）と前記少なくとも１つのユーザ機器（１１０、１１２、１１４）との間の前記通信の前記予想伝送品質及び／又は前記通信チャネル（１４０）の前記予想コヒーレンス・プロパティを参照するパラメータならびに前記切り捨てが前記第１のノード（１２０）と前記少なくとも１つのユーザ機器（１１０、１１２、１１４）との間の前記通信／チャネルのパフォーマンス損失にどのように影響を及ぼすかに基づくものであるスケジューリング・ユニット（６１０）と、
を含む、配置（６００）。
【請求項１６】
前記第１のノードの配置（６００）が、
前記第１のノード（１２０）と前記少なくとも１つのユーザ機器（１１０、１１２、１１４）との間の前記通信の前記伝送品質及び／又は前記通信チャネル（１４０）のコヒーレンス・プロパティを推定するように適合された推定ユニット（６２５）と、
前記第１のノード（１２０）と前記少なくとも１つのユーザ機器（１１０、１１２、１１４）との間の前記通信の前記伝送品質及び／又は前記通信チャネル（１４０）のコヒーレンス・プロパティを、前記第１のノード（１２０）と前記ユーザ機器（１１０、１１２、１１４）の他のインスタンスとの間の通信の伝送品質及び／又は通信チャネルのコヒーレンス・プロパティと比較するように適合された比較ユニット（６４０）と、
前記通信の前記伝送品質及び／又は前記通信チャネル（１４０）のコヒーレンス・プロパティ次第で、前記第１のノード（１２０）によって確立された他の通信と比較して、優先順位の順に前記第１のノード（１２０）と前記少なくとも１つのユーザ機器（１１０、１１２、１１４）との間の前記通信をソートするように適合された編成ユニット（６５０）と、
をさらに含む、請求項１５記載の配置（６００）。
【請求項１７】
前記第１のノードの装置（６００）が、
前記第１のノード（１２０）と前記少なくとも１つのユーザ機器（１１０、１１２、１１４）との間の前記通信の前記伝送品質及び／又は前記通信チャネル（１４０）のコヒーレンス・プロパティが所定のしきい値より低いことを検出するように適合された検出ユニット（６３０）
をさらに含む、請求項１５から１６のいずれかに記載の配置（６００）。
【国際調査報告】
2010524388.tif 000009
2010524388.tif 000010
2010524388.tif 000011
2010524388.tif 000012